(57)【要約】【課題】狭額縁化を図ることができる表示装置を提供する。【解決手段】画像を表示する液晶パネル１２と、液晶パネル１２の背面１２ｂを照射するＬＥＤバー６１と、液晶パネル１２とＬＥＤバー６１との間に配置された反射シート６０と、ＬＥＤバー６１及び反射シート６０をそれぞれ支持する金属製のリアフレーム１４と、を備え、リアフレーム１４は、開口部２６ａを有する箱体状に構成され、且つ、ＬＥＤバー６１を支持する第１のフレーム部２６と、第１のフレーム部２６の開口部２６ａから液晶パネル１２に対して略平行な方向である外側方向に延びる第２のフレーム部２８と、第２のフレーム部２８の外周部から液晶パネル１２側に曲げられた第１の曲げ部３２、及び、第１の曲げ部３２の端部から外側方向に曲げられ且つ反射シート６０の支持部６４を支持する第２の曲げ部３４を具備する第３のフレーム部３０と、を有する。【選択図】図９
2015138129.tif 000002
【特許請求の範囲】
【請求項１】
画像を表示するための表示装置であって、
前記画像を表示する表示パネルと、
前記表示パネルの背面を照射する光源と、
前記表示パネルと前記光源との間に配置された光学部材と、
前記光源及び前記光学部材を支持する金属製のフレームと、を備え、
前記フレームは、
開口部を有する箱体状に構成され、且つ、前記光源を支持する第１のフレーム部と、
前記第１のフレーム部の前記開口部から前記表示パネルに対して略平行な方向である外側方向に延びる第２のフレーム部と、
前記第２のフレーム部の外周部から前記表示パネル側に曲げられた第１の曲げ部、及び、前記第１の曲げ部の端部から前記外側方向に曲げられ且つ前記光学部材の外周部を支持する第２の曲げ部を具備する第３のフレーム部と、を有する
表示装置。
【請求項２】
前記第１のフレーム部及び前記第２のフレーム部はそれぞれ、板金を深絞り加工することにより成形され、
前記第３のフレーム部は、前記板金を曲げ加工することにより成形される
請求項１に記載の表示装置。
【請求項３】
さらに、前記表示パネルの前面の外周部を覆う前面筐体と、
前記フレームの背面を覆う背面筐体と、
前記背面筐体を前記フレームの前記第２のフレーム部に締結する締結部材と、を備える
請求項１又は２に記載の表示装置。
【請求項４】
さらに、前記表示パネルの前面の外周部を覆う前面筐体と、
前記フレームの背面を覆う背面筐体と、
前記背面筐体と前記フレームの前記第２のフレーム部との間に配置され、且つ、前記表示装置を操作するための操作スイッチと、を備える
請求項１又は２に記載の表示装置。
【請求項５】
前記第２のフレーム部と前記第１の曲げ部との間の周縁部における四隅の角部にはそれぞれ面取りが形成されている
請求項１〜４のいずれか１項に記載の表示装置。
【請求項６】
前記第１の曲げ部は、前記第２のフレーム部に対して垂直方向よりも前記外側方向に傾斜している
請求項１〜５のいずれか１項に記載の表示装置。
【請求項７】
前記光学部材は、前記第１のフレーム部に支持され且つ前記光源からの光を前記表示パネルの背面に向けて反射する反射部、及び、前記反射部の外周部に設けられ且つ前記第３のフレーム部の前記第２の曲げ部に支持される支持部を有する反射シートを含み、
前記第１の曲げ部と前記第２の曲げ部との間の周縁部のうち、四隅の角部におけるアールは、前記四隅の角部以外の部分におけるアールよりも大きい
請求項１〜６のいずれか１項に記載の表示装置。
【請求項８】
画像を表示するための表示装置であって、
前記画像を表示する表示パネルと、
前記表示パネルの背面に光を照射する光源と、
前記光源を支持する金属製のフレームであって、開口部を有する箱体状に構成され、且つ、四隅の角部にそれぞれ面取りが形成された前記フレームと、を備える
表示装置。
【請求項９】
画像を表示するための表示装置であって、
前記画像を表示する表示パネルと、
光を発する光源と、
前記光源からの光を前記表示パネルの背面に向けて反射する反射部、及び、前記反射部の外周部に設けられた支持部を有する反射シートと、
前記光源及び前記反射シートをそれぞれ支持する金属製のフレームと、を備え、
前記フレームは、
開口部を有する箱体状に構成され、且つ、前記光源及び前記反射シートの前記反射部を支持する第１のフレーム部と、
前記第１のフレーム部の前記開口部から前記表示パネルに対して略平行な方向である外側方向に延びる第２のフレーム部と、
前記第２のフレーム部の外周部から前記表示パネル側に曲げられた第１の曲げ部、及び、前記第１の曲げ部の端部から前記外側方向に曲げられ且つ前記反射シートの前記支持部を支持する第２の曲げ部を具備する第３のフレーム部と、を有しており、
前記第１の曲げ部と前記第２の曲げ部との間の周縁部のうち、四隅の角部におけるアールは、前記四隅の角部以外の部分におけるアールよりも大きい
表示装置。
【発明の詳細な説明】
【技術分野】
【０００１】
本発明は、画像を表示するための表示装置に関する。
【背景技術】
【０００２】
例えば液晶テレビジョン受像機等のように、画像を表示するための表示装置が知られている（例えば、特許文献１参照）。図１２は、従来の表示装置の構造を示す要部断面図である。図１２に示すように、表示装置１００の筐体１０２は、フロントキャビネット１０４及びリアキャビネット１０６で構成されている。フロントキャビネット１０４は、筐体１０２の内部に配置された液晶パネル１０８の前面の外周部を覆っている。リアキャビネット１０６は、当該液晶パネル１０８の背面全体を覆っている。
【０００３】
筐体１０２の内部には、上述した液晶パネル１０８の他に、ベゼル１１０、モールドフレーム１１２、リアフレーム１１４、バックライトユニット１１６、拡散板１１８及び一対の光学シート１２０，１２２等が配置されている。ベゼル１１０は、液晶パネル１０８の前面の外周部を支持するための金属製の枠部材である。モールドフレーム１１２は、液晶パネル１０８の背面の外周部を支持するための樹脂製の枠部材である。リアフレーム１１４は、バックライトユニット１１６を支持するための金属製のフレームであり、液晶パネル１０８とリアキャビネット１０６との間に配置されている。バックライトユニット１１６は、ＬＥＤ（Ｌｉｇｈｔ  Ｅｍｉｔｔｉｎｇ  Ｄｉｏｄｅ）バー（図示せず）と、ＬＥＤバーからの光を液晶パネル１０８の背面に向けて反射する反射シート１２４と、を有している。拡散板１１８及び一対の光学シート１２０，１２２はそれぞれ、液晶パネル１０８とバックライトユニット１１６との間に配置されている。
【０００４】
上述したリアフレーム１１４は、第１の支持部１２６及び第２の支持部１２８を有している。第１の支持部１２６は、開口部を有する箱体状に構成されている。この第１の支持部１２６には、バックライトユニット１１６のＬＥＤバー及び反射シート１２４がそれぞれ支持されている。第２の支持部１２８は、第１の支持部１２６の開口部から外側方向（すなわち、液晶パネル１０８に対して略平行な方向）に延びている。この第２の支持部１２８には、拡散板１１８、一対の光学シート１２０，１２２及び反射シート１２４の各々の外周部が支持されている。
【先行技術文献】
【特許文献】
【０００５】
【特許文献１】特開２０１２−５３０８２号公報
【発明の概要】
【発明が解決しようとする課題】
【０００６】
上述した従来の表示装置１００では、次のような３つの課題が生じる。まず、第１の課題について説明する。上述したリアフレーム１１４は、例えば板金にプレス加工を施すことによって成形される。このとき、板金を形成する金属材料の流動性を高めるために、第１の支持部１２６と第２の支持部１２８との間の周縁部１３０におけるアール（曲げのアール）が比較的大きくなるようにプレス加工が施される。そのため、第２の支持部１２８には、拡散板１１８、一対の光学シート１２０，１２２及び反射シート１２４の各々の外周部を支持するためのスペースとして、比較的大きい支持スペース１３２を確保する必要がある。近年、液晶パネル１０８の周囲の画像表示に寄与しない額縁部分１３４を狭額縁化することが要望されているが、従来の表示装置１００の構成では、第２の支持部１２８に形成された支持スペース１３２の分だけ額縁部分１３４が大きくなるという課題が生じる。
【０００７】
次に、第２の課題について説明する。上述した第１の支持部１２６の四隅の角部は、直角のコーナーで構成されている。そのため、板金にプレス加工を施すことによってリアフレーム１１４を成形する際に、第１の支持部１２６の四隅の角部に応力が集中しやすくなり、この四隅の角部が破損するおそれがあるという課題が生じる。
【０００８】
次に、第３の課題について説明する。上述したように、第１の支持部１２６と第２の支持部１２８との間の周縁部１３０には、全周に亘ってアールが形成されている。そのため、反射シート１２４の外周部１２４ａの四隅の角部と周縁部１３０の四隅の角部とが干渉することにより、反射シート１２４の外周部１２４ａの四隅の角部がリアフレーム１１４から浮き上がるという課題が生じる。
【０００９】
本発明は、上述した課題を解決しようとするものであり、その第１の目的は、狭額縁化を図ることができる表示装置を提供することである。
【００１０】
また、本発明の第２の目的は、フレームを成形する際にフレームが破損するのを抑制することができる表示装置を提供することである。
【００１１】
さらに、本発明の第３の目的は、反射シートとフレームとの干渉を抑制することができる表示装置を提供することである。
【課題を解決するための手段】
【００１２】
上記目的を達成するために、本発明の一態様に係る表示装置は、画像を表示するための表示装置であって、前記画像を表示する表示パネルと、前記表示パネルの背面を照射する光源と、前記表示パネルと前記光源との間に配置された光学部材と、前記光源及び前記光学部材を支持する金属製のフレームと、を備え、前記フレームは、開口部を有する箱体状に構成され、且つ、前記光源を支持する第１のフレーム部と、前記第１のフレーム部の前記開口部から前記表示パネルに対して略平行な方向である外側方向に延びる第２のフレーム部と、前記第２のフレーム部の外周部から前記表示パネル側に曲げられた第１の曲げ部、及び、前記第１の曲げ部の端部から前記外側方向に曲げられ且つ前記光学部材の外周部を支持する第２の曲げ部を具備する第３のフレーム部と、を有する。
【００１３】
本態様によれば、フレームの第３のフレーム部は、第１の曲げ部及び第２の曲げ部を有している。これらのうち第２の曲げ部には、光学部材の外周部が支持されている。このとき、第１の曲げ部は第２のフレーム部の外周部から表示パネル側に曲げられ、且つ、第２の曲げ部は第１の曲げ部の端部から外側方向に曲げられているので、第２の曲げ部には、光学部材の外周部を支持するためのスペースとして、比較的小さい支持スペースを確保すれば足りる。これにより、表示装置の額縁部分を小さく抑えることができ、狭額縁化を図ることができる。さらに、フレームは、第１のフレーム部と、第１のフレーム部の開口部から外側方向に延びる第２のフレーム部と、を有している。例えば、フレームを成形する際に、第２のフレーム部により規定される平面をプレス基準面として、第１のフレーム部側と第３のフレーム部側とで成形方法を分けることができる。これにより、例えば板金の深絞り加工によって第１のフレーム部及び第２のフレーム部を成形する際に、板金を形成する金属材料の流動性を高めるために、第１のフレーム部と第２のフレーム部との間の周縁部におけるアールを比較的大きくすることができる。一方、例えば板金の曲げ加工によって第３のフレーム部を成形する際に、上記支持スペースを小さく抑えるために、第１の曲げ部と第２の曲げ部との間の周縁部におけるアールを比較的小さくすることができる。
【００１４】
例えば、本発明の一態様に係る表示装置において、前記第１のフレーム部及び前記第２のフレーム部はそれぞれ、板金を深絞り加工することにより成形され、前記第３のフレーム部は、前記板金を曲げ加工することにより成形されるように構成してもよい。
【００１５】
本態様によれば、第１のフレーム部及び第２のフレーム部はそれぞれ板金を深絞り加工することにより成形され、第３のフレーム部は、板金を曲げ加工することにより成形される。これにより、フレームを一体成形（すなわち、繋ぎ目が発生しない成形）により成形することができるので、フレームの四隅の角部等に繋ぎ目が存在しなくなり、光源からの光が表示装置の外部に漏れるのを抑制することができる。さらに、フレームに繋ぎ目が存在しないことに起因して、フレームの剛性を高めることができるとともに、繋ぎ目をカシメる工程が不要になる分だけフレームの製造工数を削減することができる。また、深絞り加工及び曲げ加工を行うことによりフレームを成形するので、例えば曲げ加工のみを複数回繰り返し行うことによりフレームを成形する場合と比べて、フレームを成形する際に発生する寸法バラツキを小さく抑えることができ、フレームの寸法精度を高めることができる。
【００１６】
例えば、本発明の一態様に係る表示装置において、さらに、前記表示パネルの前面の外周部を覆う前面筐体と、前記フレームの背面を覆う背面筐体と、前記背面筐体を前記フレームの前記第２のフレーム部に締結する締結部材と、を備えるように構成してもよい。
【００１７】
本態様によれば、背面筐体は、フレームの第２のフレーム部に締結部材で締結されている。このように、背面筐体とフレームとを相互に締結する締結面を第２のフレーム部上に配置することによって、上記締結面を表示装置の外周面上に配置した場合と比べて、表示装置の厚み方向の大きさを小さく抑えることができる。
【００１８】
例えば、本発明の一態様に係る表示装置において、さらに、前記表示パネルの前面の外周部を覆う前面筐体と、前記フレームの背面を覆う背面筐体と、前記背面筐体と前記フレームの前記第２のフレーム部との間に配置され、且つ、前記表示装置を操作するための操作スイッチと、を備えるように構成してもよい。
【００１９】
本態様によれば、背面筐体とフレームの第２のフレーム部との間に操作スイッチが配置されている。これにより、背面筐体とフレームの第２のフレーム部との間に形成された空間を有効利用して操作スイッチを配置することができ、省スペース化を図ることができる。
【００２０】
例えば、本発明の一態様に係る表示装置において、前記第２のフレーム部と前記第１の曲げ部との間の周縁部における四隅の角部にはそれぞれ面取りが形成されているように構成してもよい。
【００２１】
本態様によれば、第２のフレーム部と第１の曲げ部との間の周縁部における四隅の角部にはそれぞれ面取りが形成されている。例えば第３のフレーム部を曲げ加工により成形する際に、第２のフレーム部と第１の曲げ部との間の周縁部における四隅の角部にそれぞれ面取りを形成することにより、この周縁部における四隅の角部に応力が集中するのを抑制することができる。これにより、この周縁部における四隅の角部が破損するのを抑制することができる。
【００２２】
例えば、本発明の一態様に係る表示装置において、前記第１の曲げ部は、前記第２のフレーム部に対して垂直方向よりも前記外側方向に傾斜しているように構成してもよい。
【００２３】
本態様によれば、第１の曲げ部は、第２のフレーム部に対して垂直方向よりも外側方向に傾斜しているので、例えば第３のフレーム部を曲げ加工により成形する際に、曲げ加工をスムーズに行うことができる。
【００２４】
例えば、本発明の一態様に係る表示装置において、前記光学部材は、前記第１のフレーム部に支持され且つ前記光源からの光を前記表示パネルの背面に向けて反射する反射部、及び、前記反射部の外周部に設けられ且つ前記第３のフレーム部の前記第２の曲げ部に支持される支持部を有する反射シートを含み、前記第１の曲げ部と前記第２の曲げ部との間の周縁部のうち、四隅の角部におけるアールは、前記四隅の角部以外の部分におけるアールよりも大きいように構成してもよい。
【００２５】
本態様によれば、第１の曲げ部と第２の曲げ部との間の周縁部のうち、四隅の角部におけるアールは、四隅の角部以外の部分におけるアールよりも大きい。これにより、反射部の外周部の四隅の角部を逃がすことができるので、反射シートとフレームとが干渉するのを抑制することができる。さらに、第１の曲げ部と第２の曲げ部との間の周縁部のうち四隅の角部以外の部分に対応する第２の曲げ部には、反射シートの支持部を支持するための支持スペースを確保することができる。
【００２６】
また、本発明の一態様に係る表示装置は、画像を表示するための表示装置であって、前記画像を表示する表示パネルと、前記表示パネルの背面に光を照射する光源と、前記光源を支持する金属製のフレームであって、開口部を有する箱体状に構成され、且つ、四隅の角部にそれぞれ面取りが形成された前記フレームと、を備える。
【００２７】
本態様によれば、フレームの四隅の角部にはそれぞれ面取りが形成されている。例えばフレームを曲げ加工により成形する際に、フレームの四隅の角部にそれぞれ面取りを形成することにより、フレームの四隅の角部に応力が集中するのを抑制することができる。これにより、フレームの四隅の角部が破損するのを抑制することができる。
【００２８】
さらに、本発明の一態様に係る表示装置は、画像を表示するための表示装置であって、前記画像を表示する表示パネルと、光を発する光源と、前記光源からの光を前記表示パネルの背面に向けて反射する反射部、及び、前記反射部の外周部に設けられた支持部を有する反射シートと、前記光源及び前記反射シートをそれぞれ支持する金属製のフレームと、を備え、前記フレームは、開口部を有する箱体状に構成され、且つ、前記光源及び前記反射シートの前記反射部を支持する第１のフレーム部と、前記第１のフレーム部の前記開口部から前記表示パネルに対して略平行な方向である外側方向に延びる第２のフレーム部と、前記第２のフレーム部の外周部から前記表示パネル側に曲げられた第１の曲げ部、及び、前記第１の曲げ部の端部から前記外側方向に曲げられ且つ前記反射シートの前記支持部を支持する第２の曲げ部を具備する第３のフレーム部と、を有しており、前記第１の曲げ部と前記第２の曲げ部との間の周縁部のうち、四隅の角部におけるアールは、前記四隅の角部以外の部分におけるアールよりも大きい。
【００２９】
本態様によれば、第１の曲げ部と第２の曲げ部との間の周縁部のうち、四隅の角部におけるアールは、四隅の角部以外の部分におけるアールよりも大きい。これにより、反射部の外周部の四隅の角部を逃がすことができるので、反射シートとフレームとが干渉するのを抑制することができる。さらに、第１の曲げ部と第２の曲げ部との間の周縁部のうち四隅の角部以外の部分に対応する第２の曲げ部には、反射シートの支持部を支持するための支持スペースを確保することができる。
【発明の効果】
【００３０】
本発明の第１の態様に係る表示装置によれば、狭額縁化を図ることができる。
【００３１】
また、本発明の第２の態様に係る表示装置によれば、フレームを成形する際にフレームが破損するのを抑制することができる。
【００３２】
さらに、本発明の第３の態様に係る表示装置によれば、反射シートとフレームとの干渉を抑制することができる。
【図面の簡単な説明】
【００３３】
【図１】実施の形態に係る表示装置の外観を示す図である。
【図２】実施の形態に係る表示装置を分解した状態を示す分解斜視図である。
【図３】リアフレームの背面側を示す図である。
【図４】図３中のＤ−Ｄ線により切断したリアフレームの断面図である。
【図５】図４中の一点鎖線の枠Ｙで囲まれた部分を拡大して示す要部断面図である。
【図６】図３中の一点鎖線の枠Ｘで囲まれた部分を拡大して示す平面図である。
【図７】図３中の一点鎖線の枠Ｘで囲まれた部分を拡大して示す斜視図である。
【図８】リアフレームを成形する方法を模式的に示す図である。
【図９】図１中のＡ−Ａ線により切断した表示装置の要部断面図である。
【図１０】図１中のＢ−Ｂ線により切断した表示装置の要部断面図である。
【図１１】図１中のＣ−Ｃ線により切断した表示装置の要部断面図である。
【図１２】従来の表示装置の構造を示す要部断面図である。
【発明を実施するための形態】
【００３４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３５】
（実施の形態）
［表示装置の全体構造］
まず、図１及び図２を参照しながら、実施の形態に係る表示装置２の全体構造について説明する。図１は、実施の形態に係る表示装置の外観を示す図である。図２は、実施の形態に係る表示装置を分解した状態を示す分解斜視図である。
【００３６】
図１及び図２に示すように、本実施の形態の表示装置２は、例えば液晶テレビジョン受像機である。表示装置２は、各種部品を収納するための筐体４を備えている。筐体４は、フロントキャビネット６（前面筐体を構成する）及びリアキャビネット８（背面筐体を構成する）が相互に接続されることにより構成されている。なお、筐体４の下端部には、筐体４を下方より支持するためのスタンド１０が取り付けられている。
【００３７】
フロントキャビネット６は、矩形状の枠状に構成されており、後述する液晶パネル１２（表示パネルを構成する）の前面１２ａの外周部を覆うようにして配置されている。後述する図９に示すように、フロントキャビネット６の内面には、リアキャビネット８側に延びるリブ７が設けられている。フロントキャビネット６は、例えば樹脂で形成されている。
【００３８】
リアキャビネット８は、表示装置２の背面側にやや膨らんだ形状を有しており、液晶パネル１２の背面１２ｂ全体を覆うようにして配置されている。後述する図９に示すように、リアキャビネット８は、液晶パネル１２の周囲においてフロントキャビネット６と相互に接続されている。リアキャビネット８は、例えば樹脂で形成されている。
【００３９】
図２に示すように、筐体４の内部には、上述した液晶パネル１２の他に、リアフレーム１４（フレームを構成する）、バックライトユニット１６、拡散板１８（光学部材を構成する）、一対の光学シート２０，２２（光学部材を構成する）及びモールドフレーム２４が配置されている。表示装置２の内部構造については後述する。
【００４０】
［リアフレームの構造］
次に、上述した図２とともに図３〜図７を参照しながら、上述したリアフレーム１４の構造について説明する。図３は、リアフレームの背面側を示す図である。図４は、図３中のＤ−Ｄ線により切断したリアフレームの断面図である。図５は、図４中の一点鎖線の枠Ｙで囲まれた部分を拡大して示す要部断面図である。図６は、図３中の一点鎖線の枠Ｘで囲まれた部分を拡大して示す平面図である。図７は、図３中の一点鎖線の枠Ｘで囲まれた部分を拡大して示す斜視図である。なお、図３では、リアキャビネット８を取り外した状態で表示装置２を背面側から見た状態を示している。
【００４１】
図２に示すように、リアフレーム１４は、上述したバックライトユニット１６、拡散板１８及び一対の光学シート２０，２２を支持するための金属製のフレームであり、リアキャビネット８の内面に配置されている。すなわち、リアフレーム１４の背面１４ａ全体がリアキャビネット８により覆われている。リアフレーム１４は、例えば、ＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ鋼）等の板金で形成されている。
【００４２】
図３〜図５に示すように、リアフレーム１４は、第１のフレーム部２６、第２のフレーム部２８及び第３のフレーム部３０を有している。
【００４３】
第１のフレーム部２６は、略矩形状の開口部２６ａを有する箱体状に構成されている。第１のフレーム部２６には、バックライトユニット１６の複数のＬＥＤバー６１（後述する）及び反射シート６０の反射部６２（後述する）がそれぞれ支持されている。
【００４４】
第２のフレーム部２８は、第１のフレーム部２６の開口部２６ａの周縁部から外側方向（すなわち、液晶パネル１２の外側に向かう方向であって、液晶パネル１２に対して略平行な方向）に延びている。
【００４５】
第３のフレーム部３０は、第１の曲げ部３２、第２の曲げ部３４及び第３の曲げ部３６を有している。第１の曲げ部３２は、第２のフレーム部２８の外周部から液晶パネル１２側に曲げられている。なお、後述する図９に示すように、第１の曲げ部３２は、第２のフレーム部２８に対して垂直方向よりも上記外側方向に角度θ（例えば、約３〜５°）だけ傾斜している。第２の曲げ部３４は、第１の曲げ部３２の端部から上記外側方向に曲げられている。なお、第２の曲げ部３４は、第１の曲げ部３２に対して略垂直に曲げられている。第３の曲げ部３６は、第２の曲げ部３４の端部からリアキャビネット８側に曲げられている。なお、第３の曲げ部３６は、第２の曲げ部３４に対して略垂直に曲げられている。
【００４６】
また、図３、図６、図７及び後述する図１０に示すように、第２のフレーム部２８と第１の曲げ部３２との間の周縁部３８における四隅の角部にはそれぞれ、Ｃ面取り４０（面取りを構成する）が形成されている。
【００４７】
さらに、図６、図７、後述する図９及び図１０に示すように、第１の曲げ部３２と第２の曲げ部３４との間の周縁部４２のうち、四隅の角部４２ａにおけるアール（例えば、約３ｍｍ）は、四隅の角部４２ａ部以外の部分４２ｂにおけるアール（例えば、約１．５ｍｍ）よりも大きい。
【００４８】
ここで、上述した図５とともに図８を参照しながら、リアフレーム１４を成形する方法について説明する。図８は、リアフレームを成形する方法を模式的に示す図である。
【００４９】
まず、図８の（ａ）に示すように、リアフレーム１４を成形するためのブランクである薄板状の板金４４を準備する。この板金４４は、例えばＳＥＣＣ等で形成されている。
【００５０】
次に、図８の（ｂ）に示すように、この板金４４を深絞り加工用のプレス金型４６の上型４８と下型５０との間で深絞り加工することにより、第１のフレーム部２６及び第２のフレーム部２８が成形（ドロー成形）される。このとき、板金４４を形成する金属材料の流動性を高めるために、図５に示すように、第１のフレーム部２６と第２のフレーム部２８との間の周縁部５２におけるアールが比較的大きくなるように深絞り加工が板金４４に施される。
【００５１】
その後、図８の（ｃ）に示すように、第１のフレーム部２６及び第２のフレーム部２８が成形された板金４４の外周部を曲げ加工用のプレス金型５４の上型５６と下型５８との間で曲げ加工することにより、第３のフレーム部３０が成形（フォーム成形）される。このとき、第２のフレーム部２８と第１の曲げ部３２との間の周縁部３８における四隅の角部に応力が集中するのを抑制するために、この四隅の角部にそれぞれＣ面取り４０が形成されるようにして曲げ加工が板金４４に施される。さらに、曲げ加工をスムーズに行うために、第１の曲げ部３２が第２のフレーム部２８に対して垂直方向よりも外側方向に角度θだけ傾斜するように、第１の曲げ部３２が第２のフレーム部２８の外周部から曲げられる。
【００５２】
以上のようにしてリアフレーム１４が成形される。本実施の形態におけるリアフレーム１４の成形方法では、図５に示すように、第２のフレーム部２８により規定される平面をプレス基準面として、第１のフレーム部２６及び第２のフレーム部２８をそれぞれ深絞り加工により成形し、第３のフレーム部３０を曲げ加工により成形する。
【００５３】
［表示装置の内部構造］
次に、上述した図２とともに図９〜図１１を参照しながら、上述した表示装置２の内部構造について説明する。図９は、図１中のＡ−Ａ線により切断した表示装置の要部断面図である。図１０は、図１中のＢ−Ｂ線により切断した表示装置の要部断面図である。図１１は、図１中のＣ−Ｃ線により切断した表示装置の要部断面図である。
【００５４】
図２に示すように、バックライトユニット１６は、例えば直下型のバックライトユニットであり、液晶パネル１２の背面１２ｂに光を照射するためのものである。バックライトユニット１６は、反射シート６０（光学部材を構成する）及び複数のＬＥＤバー６１（光源を構成する）を有している。
【００５５】
図２、図９及び図１０に示すように、反射シート６０は、反射部６２及び支持部６４を有している。反射部６２は、略矩形状の開口部６２ａを有する箱体状に構成されており、リアフレーム１４の第１のフレーム部２６に支持されている。なお、反射部６２は、リアフレーム１４の第１のフレーム部２６、第２のフレーム部２８及び第１の曲げ部３２をそれぞれ覆うようにして配置されている。反射部６２は、複数のＬＥＤバー６１の各々からの光を液晶パネル１２の背面１２ｂに向けて反射する。支持部６４は、反射部６２の開口部６２ａの周縁部（すなわち、反射部６２の外周部）から上記外側方向に延びている。反射シート６０は、例えばポリエチレンテレフタレート（ＰＥＴ）で形成されている。
【００５６】
複数のＬＥＤバー６１はそれぞれ長尺状に構成されており、間隔を置いて且つ互いに略平行に配置されている。複数のＬＥＤバー６１の各々は、配線基板６６と、配線基板６６上に実装された複数のＬＥＤ６８と、を有している。
【００５７】
配線基板６６は、長尺状の板状に構成されている。配線基板６６は、反射シート６０の反射部６２を介してリアフレーム１４の第１のフレーム部２６上に支持されている。配線基板６６は、熱伝導性の高い金属、例えばアルミニウムで形成されている。
【００５８】
複数のＬＥＤ６８は、配線基板６６の長手方向に沿って一列に且つ間隔を置いて配置されている。複数のＬＥＤ６８の各々は、例えばパワーＬＥＤで構成されている。
【００５９】
拡散板１８は、略矩形状の薄板状に構成されており、バックライトユニット１６と液晶パネル１２との間に配置されている。拡散板１８は、バックライトユニット１６からの光を液晶パネル１２の背面１２ｂに向けて拡散するためのものである。
【００６０】
一対の光学シート２０，２２はそれぞれ、相互に重ね合わされた状態で、拡散板１８の表面を覆うようにして配置されている。一対の光学シート２０，２２の各々は、例えば、拡散板１８により拡散された光を液晶パネル１２の背面１２ｂに導くためのものである。
【００６１】
図９及び図１０に示すように、上述した反射シート６０の支持部６４並びに拡散板１８及び一対の光学シート２０，２２の各々の外周部は、リアフレーム１４の第３のフレーム部３０の第２の曲げ部３４に支持されている。なお、反射シート６０の支持部６４並びに拡散板１８及び一対の光学シート２０，２２の各々の外周部は、第２の曲げ部３４と後述するモールドフレーム２４との間に挟持されている。
【００６２】
モールドフレーム２４は、長尺状の４個のフレーム部材２４ａ〜２４ｄが矩形状の枠状に組み合わされることにより構成されている。モールドフレーム２４は、フロントキャビネット６のリブ７とともに、リアフレーム１４の第３のフレーム部３０の第３の曲げ部３６にネジ７０で締結されている。モールドフレーム２４は、例えば樹脂で形成されている。
【００６３】
液晶パネル１２は、矩形状のパネル状に構成されている。図９に示すように、液晶パネル１２の背面１２ｂの外周部は、クッション部材７２を介してモールドフレーム２４に支持されている。また、液晶パネル１２の前面１２ａの外周部は、クッション部材７４を介してフロントキャビネット６に支持されている。これにより、液晶パネル１２の外周部は、フロントキャビネット６とモールドフレーム２４との間に挟持されている。なお、上述したクッション部材７２，７４はそれぞれ、液晶パネル１２に加わる衝撃を吸収するためのものであり、例えばウレタンで形成されている。バックライトユニット１６からの光が液晶パネル１２の背面１２ｂを照射することにより、液晶パネル１２の前面１２ａにおける表示領域に画像が表示される。
【００６４】
なお、図９に示すように、リアキャビネット８は、リアフレーム１４の第２のフレーム部２８にネジ７６（締結部材を構成する）で締結されている。このように、リアキャビネット８とリアフレーム１４とを相互に締結する締結面を第２のフレーム部２８上に配置することによって、上記締結面を表示装置２の外周面上に配置した場合と比べて、筐体４の厚み方向（Ｚ方向）の大きさを小さく抑えることができる。
【００６５】
また、図１１に示すように、上述したようにリアフレーム１４を構成することによって、リアキャビネット８とリアフレーム１４の第２のフレーム部２８との間には空間７８が形成されるようになる。この空間７８には、表示装置２の操作、例えば、表示装置２の主電源のオン又はオフ、放送チャンネルの切り替え等の操作を行うための操作スイッチ８０が配置されている。操作スイッチ８０には、複数の押しボタン８０ａが設けられている。これらの複数の押しボタン８０ａの各々は、リアキャビネット８に設けられた孔８２を通して外部に露出されている。
【００６６】
［効果］
次に、本実施の形態の表示装置２により得られる効果について説明する。上述したように、リアフレーム１４の第３のフレーム部３０は、曲げ加工によって成形された第１の曲げ部３２、第２の曲げ部３４及び第３の曲げ部３６を有している。これらのうち第２の曲げ部３４には、反射シート６０の支持部６４並びに拡散板１８及び一対の光学シート２０，２２の各々の外周部が支持されている。このとき、第２の曲げ部３４は第１の曲げ部３２に対して略垂直に曲げられているので、図９に示すように、第２の曲げ部３４には、反射シート６０の支持部６４並びに拡散板１８及び一対の光学シート２０，２２の各々の外周部を支持するためのスペースとして、比較的小さい支持スペース８４を確保すれば足りる。これにより、表示装置２の額縁部分８６を小さく抑えることができ、狭額縁化を図ることができる。
【００６７】
さらに、リアフレーム１４を成形する際に、第２のフレーム部２８により規定される平面をプレス基準面として、第１のフレーム部２６側と第３のフレーム部３０側とで成形方法を分けることができる。これにより、例えば深絞り加工によって第１のフレーム部２６及び第２のフレーム部２８を成形する際に、板金４４を形成する金属材料の流動性を高めるために、第１のフレーム部２６と第２のフレーム部２８との間の周縁部５２におけるアールを比較的大きくすることができる。一方、例えば曲げ加工によって第３のフレーム部３０を成形する際に、上記支持スペースを小さく抑えるために、第１の曲げ部３２と第２の曲げ部３４との間の周縁部４２におけるアールを比較的小さくすることができる。
【００６８】
さらに、本実施の形態のリアフレーム１４の成形方法では、第２のフレーム部２８により規定される平面をプレス基準面として、第１のフレーム部２６及び第２のフレーム部２８を深絞り加工により成形した後に、第３のフレーム部３０を曲げ加工により成形する。これにより、リアフレーム１４を一体成形（すなわち、繋ぎ目が発生しない成形）により成形することができるので、リアフレーム１４の四隅の角部等に繋ぎ目が存在しなくなり、バックライトユニット１６からの光が筐体４の外部に漏れるのを抑制することができる。さらに、リアフレーム１４に繋ぎ目が存在しないことに起因して、リアフレーム１４の剛性を高めることができるとともに、繋ぎ目をカシメる工程が不要になる分だけリアフレーム１４の製造工数を削減することができる。また、深絞り加工及び曲げ加工を行うことによりリアフレーム１４を成形するので、例えば曲げ加工のみを複数回繰り返し行うことによりリアフレーム１４を成形する場合と比べて、リアフレーム１４を成形する際に発生する寸法バラツキを小さく抑えることができ、リアフレーム１４の寸法精度を高めることができる。
【００６９】
さらに、上述したように、リアフレーム１４を成形する際に、第２のフレーム部２８と第１の曲げ部３２との間の周縁部３８における四隅の角部にそれぞれＣ面取り４０が形成されるようにして、曲げ加工が板金４４に施される。これにより、図７及び図１０に示すように、周縁部３８における四隅の角部の頂部３８ａが、第２のフレーム部２８よりも第３のフレーム部３０側に配置されるようになる。その結果、周縁部３８における四隅の角部に応力が集中するのを抑制することができ、周縁部３８における四隅の角部が破損するのを抑制することができる。
【００７０】
さらに、上述したように、第１の曲げ部３２と第２の曲げ部３４との間の周縁部４２のうち、四隅の角部４２ａにおけるアールは、四隅の角部４２ａ以外の部分４２ｂにおけるアールよりも大きい。仮に、図１０中の一点鎖線で示すように、周縁部４２の四隅の角部４２ａにおけるアールが四隅の角部４２ａ以外の部分４２ｂにおけるアールと同じ大きさである場合には、反射部６２の開口部６２ａの四隅の角部と周縁部４２の四隅の角部４２ａとが干渉するようになる。そのため、周縁部４２の四隅の角部４２ａにおけるアールを四隅の角部４２ａ以外の部分４２ｂにおけるアールよりも大きくすることによって、反射部６２の開口部６２ａの四隅の角部を逃がすことができ、反射シート６０とリアフレーム１４との干渉を抑制することができる。
【００７１】
以上、本発明の実施の形態に係る表示装置について説明したが、本発明は、上記実施の形態に限定されるものではない。
【００７２】
上記実施の形態では、表示装置が液晶テレビジョン受像機である場合について説明したが、これに限定されない。表示装置は、例えばパーソナルコンピュータ用の液晶モニタ等でもよい。
【００７３】
上記実施の形態では、バックライトユニットを直下型のバックライトユニットで構成したが、これに限定されず、バックライトユニットをエッジライト型のバックライトユニットで構成してもよい。この場合、リアフレームは、例えば第２のフレーム部を省略し、第１のフレーム部及び第３のフレーム部のみで構成することができる。さらに、この場合、例えばリアフレームを曲げ加工のみで成形することもできる。
【００７４】
上記実施の形態では、第３のフレーム部が第１の曲げ部、第２の曲げ部及び第３の曲げ部を有するように構成したが、これに限定されず、これらのうち第３の曲げ部を省略してもよい。
【００７５】
上記実施の形態では、第１の曲げ部が第２のフレーム部に対して垂直方向よりも上記外側方向に傾斜するように構成したが、これに限定されず、第１の曲げ部が第２のフレーム部に対して略垂直に延びるように構成してもよい。
【００７６】
上記実施の形態では、モールドフレームを４個のフレーム部材に分割可能なように構成したが、これに限定されず、モールドフレームを一体の１部品で構成してもよい。
【００７７】
上記実施の形態では、第２のフレーム部と第１の曲げ部との間の周縁部における四隅の角部にそれぞれＣ面（平面）の面取りを形成したが、これに限定されず、例えばＲ面又は曲面の面取りを形成することもできる。
【００７８】
上記実施の形態では、リアキャビネットがリアフレームの背面全体を覆うように構成したが、これに限定されず、リアフレームの背面の一部のみを覆うように構成してもよい。
【産業上の利用可能性】
【００７９】
本発明の表示装置は、例えば、液晶テレビジョン受像機等として適用することができる。
【符号の説明】
【００８０】
２，１００  表示装置
４，１０２  筐体
６，１０４  フロントキャビネット
７  リブ
８，１０６  リアキャビネット
１０  スタンド
１２，１０８  液晶パネル
１２ａ  前面
１２ｂ，１４ａ  背面
１４，１１４  リアフレーム
１６，１１６  バックライトユニット
１８，１１８  拡散板
２０，２２，１２０，１２２  光学シート
２４，１１２  モールドフレーム
２４ａ，２４ｂ，２４ｃ，２４ｄ  フレーム部材
２６  第１のフレーム部
２６ａ  開口部
２８  第２のフレーム部
３０  第３のフレーム部
３２  第１の曲げ部
３４  第２の曲げ部
３６  第３の曲げ部
３８，４２，５２  周縁部
３８ａ  頂部
４０  Ｃ面取り
４２ａ  角部
４２ｂ  角部以外の部分
４４  板金
４６，５４  プレス金型
４８，５６  上型
５０，５８  下型
６０，１２４  反射シート
６１  ＬＥＤバー
６２  反射部
６４  支持部
６６  配線基板
６８  ＬＥＤ
７０，７６  ネジ
７２，７４  クッション部材
７８  空間
８０  操作スイッチ
８０ａ  押しボタン
８２  孔
８４，１３２  支持スペース
８６，１３４  額縁部分
１１０  ベゼル
１２４ａ  外周部
１２６  第１の支持部
１２８  第２の支持部
【図１】
2015138129.tif 000003
【図２】
2015138129.tif 000004
【図３】
2015138129.tif 000005
【図４】
2015138129.tif 000006
【図５】
2015138129.tif 000007
【図６】
2015138129.tif 000008
【図７】
2015138129.tif 000009
【図８】
2015138129.tif 000010
【図９】
2015138129.tif 000011
【図１０】
2015138129.tif 000012
【図１１】
2015138129.tif 000013
【図１２】
2015138129.tif 000014